(57)【要約】【目的】クリップの取付け作業が容易で、またクリップの全長が短くても適正なクリップとしての挟持性能を有し、固定部の破損などの問題が防止可能なる。【構成】クリップの後端部から前方に折曲して形成された環状基部を軸筒の後端内孔面に環状基部の弾発力により固定してなる筆記具のクリップ固定構造であって、クリップは、外方板部の後端部が折曲されると共に外方板部の内側に前方向かって延びた内方板部の前端に環状基部が形成されてなり、また天冠は、軸筒の後端孔に嵌着される軸部の一側に切欠部が設けられてなり、クリップの環状基部が軸筒の後端内孔面に固定された後、軸筒後端孔に天冠が嵌着されて、天冠の軸部前端がクリップの環状基部の後端に略当接し、軸部の切欠部にクリップの内方板部が嵌入する。【選択図】            図７
2005041065.tif 000002
【特許請求の範囲】
【請求項１】
クリップの後端部から前方に折曲して形成された環状基部を軸筒の後端内孔面に環状基部の弾発力により固定してなる筆記具のクリップ固定構造であって、クリップは、外方板部の後端部が折曲されると共に外方板部の内側に前方向かって延びた内方板部の前端に環状基部が形成されてなり、また天冠は、軸筒の後端孔に嵌着される軸部の一側に切欠部が設けられてなり、クリップの環状基部が軸筒の後端内孔面に固定された後、軸筒後端孔に天冠が嵌着されて、天冠の軸部前端がクリップの環状基部の後端に略当接し、軸部の切欠部にクリップの内方板部が嵌入するように構成されたことを特徴とする筆記具のクリップ固定構造。
【発明の詳細な説明】
【０００１】
【産業上の利用分野】
本発明は、筆記具の軸筒等にクリップを固定する構造に関する。
【０００２】
【従来の技術】
【特許文献１】実開昭５８−１４５７８７
【特許文献２】実開昭６３−６８９３
【特許文献３】実用新案登録第２５４４６５７
従来、筆記具等の軸筒にクリップを取付ける構造として、特許文献１〜３が知られている。
特許文献１には、軸筒１の端部に切欠き２を設け、クリップ３の端部を折曲して設けた脚４に一体的に取付けたリング状の板バネ５に細長いダボ６を設け、クリップ３の脚４が軸筒１の切欠き２に係合すべく板バネ５を軸筒１内に嵌挿し、板バネ５の弾発力によりクリップが固定されている。また、軸筒１内に板バネ５を嵌挿した後、頭冠７を板バネ５内に嵌着することでクリップの固定が更に確実になることが示されている。
特許文献２には、クリップの環状の基部が通過し得るように筒体に適宜形状の透孔が穿設され、クリップの基部を筒体の透孔に挿入してクリップを９０度回転させ、環状の基部を筒体の内壁によって縮径化して弾力的に基部をその内壁に圧接することによってクリップの取付けを行なうものが示されている。
特許文献３には、クリップの上方に切欠き部を有する挾持筒を形成すると共に、尾栓中間部に凹部を形成し、挾持筒を尾栓中間部の凹部に挿着し、そのクリップが挿着された尾栓を、挾持筒が内接するように軸筒に取付けたものが示されている。
特許文献に示された従来例は、いずれも軸面に露出したクリップの全長を短く設定した場合には、クリップを持ち上げた時に堅く、撓みに無理を生じ、適正なクリップとしての挟持性能やクリップの耐久性が劣り、クリップを若干高めに持ち上げた際に固定部が破損するなどの問題が存在する。
また特許文献１のものは、軸筒の端部に切欠きを設け、更にリング状の板バネに細長いダボを設けるなどで手間がかかる。
また特許文献２のものは、クリップの挿着でクリップを変形させてしまったり、傷を付けやすい可能性がある。更に軸筒の内周形状が多角形や異形となった場合には組立が極めて面倒となる。
また特許文献３のものは、異形となった場合にクリップの尾栓への取付けが極めて面倒となる。
【０００３】
【発明が解決しようとする課題】
例え軸筒が異形であってもクリップの取付け作業が容易であり、またクリップの全長が短くても適正なクリップとしての挟持性能を有し、固定部の破損などの問題が発生しないことを課題とする。
【０００４】
【課題を解決するための手段】
本発明は、上記課題を達成する為に以下の構成を有する。
請求項１に記載の発明に係る筆記具のクリップ固定構造は、クリップの後端部から前方に折曲して形成された環状基部を軸筒の後端内孔面に環状基部の弾発力により固定してなる筆記具のクリップ固定構造であって、クリップは、外方板部の後端部が折曲されると共に外方板部の内側に前方向かって延びた内方板部の前端に環状基部が形成されてなり、また天冠は、軸筒の後端孔に嵌着される軸部の一側に切欠部が設けられてなり、クリップの環状基部が軸筒の後端内孔面に固定された後、軸筒後端孔に天冠が嵌着されて、天冠の軸部前端がクリップの環状基部の後端に略当接し、軸部の切欠部にクリップの内方板部が嵌入するように構成されてなる。
【０００５】
【実施例】
本発明は、クリップ、軸筒等のデザイン仕様を満足させると共に上述した従来技術による問題点を克服する筆記具のクリップ固定構造として提案するものである。また実施例の軸筒は軸先にシャープペンシルの筆記先端部を取付けたもので示されているが、軸筒はボールペンやサインペンなどの一般的な筆記具に使用される軸筒でもよいし、筆記具の筆記先端部を被覆して取付けられるキャップであってもよい。また、軸筒、クリップ、天冠は金属製、樹脂製で形成することができ、また、それぞれの材質を選択して組合わせることができる。
【０００６】
以下、図面に基づき本発明の一実施例について説明する。
図１及び図２はシャープペンシルを示している。軸筒１の前端には筆記先端部２が突設して設けられ、軸筒１の後端にはシャープペンシルの芯を繰出すためのノック部３が設けられている。また、軸筒の後端には天冠６が嵌着され、軸面に添ってやや短めのクリップ５が設けられている。また、軸筒１の外周面には印刷部４が設けられており、特に、筆記する際に指で把持される部位には滑り止め等の効果があるように設けられている。
また軸筒１は、円筒に限らず、略楕円形（実施例）や矩形、多角形、その他異形で設けられる。
【０００７】
上記印刷部４は、軸面に滑り止め効果を有するインキで直接あるいは塗装面を介して印刷し、常温あるいは加熱乾燥などをして形成することができる。また、スクリーン印刷する場合には、そのメッシュを変えたり、印刷パターンを工夫することで凹凸効果をだして滑り止め性をアップすることができる。更に、無機質粉体等を混入させたインキで軸面にスクリーン印刷を施し、軸筒が樹脂成形品の場合には常温あるいは樹脂成形品の耐熱温度より低温で乾燥し、また、軸筒が金属製の場合には常温〜２５０℃程度で乾燥させることで設けることができる。また、発泡性樹脂をスクリーン印刷し、熱処理により発泡させて、適度な弾性と滑り止め効果を持たせることも可能である。
【０００８】
クリップ５の詳細な形状は図３乃至図６に示されている。
クリップ５は、軸筒の外周に位置する外方板部５ａの前端下部にクリップの挟持点となる玉部５ｂが形成され（玉部は別体で板部に固着されるように設けられてもよい）、外方板部５ａの後端部５ｃから屈曲して、外方板部の内側に添って前方に適宜長さで内方板部５ｄが延設され、その内方板部５ｄの前端に環状基部５ｅが形成されてなる。
【０００９】
クリップ５は金属板のプレス加工等で形成され、通常は熱処理後に塗装やメッキ等の表面処理が施されてなるが、弾性特性に優れた樹脂成形品として形成することも可能である。
またクリップの環状基部５ｅは、軸筒１の内周面の形状に添った外周形状を有し、通常は全内周線上の半分以上の外周線を有した例えれば鞍状に形成されてなる。なお、軸筒の内周形状が多角形であったり、内周に環状基部の両端部が当接するような段部が形成される場合などには前記半分以上の外周線を有することに制限されない。また、軸筒１の内周面に取付けられる前の環状基部５ｅの外周部は適宜拡開した形状に設けられて、取付けられた時に弾性力が働いて軸筒の内周面に確実に固定されるようになされる。
また、上記クリップ５が樹脂成形品で形成された場合には環状基部は全周状に形成することもできる。
【００１０】
図７乃至図８は軸筒１にクリップ５と天冠６を取付けた状態を示している。
クリップ５は、軸筒１後端の開口部から環状基部５ｅが挿入され、内周面１ａに弾性的に係合した状態で固定され、続いて天冠６の切欠部６ｂにクリップの内方板部５ｄが嵌入した状態で天冠６の軸部６ａが軸筒の開口部に圧着等によって固着される。尚、前記切欠部６ｂは軸部６ａ周面に溝あるいは凹部として設けることもできる。また、必要により天冠６のクリップの後端部５ｃが当接する部位に適宜な隙間が設けられる。
【００１１】
【作用】
本発明は以上のように構成され、クリップの後端部５ｃの内縁が軸筒１の後端に当接した状態でクリップの環状基部５ｅの後端に天冠の軸部の前端６ｃが略当接し、且つ天冠６の切欠部６ｂにクリップの内方板部５ｄが嵌入した状態で天冠６の軸部６ａが軸筒の開口部に固着されるので、クリップは容易な組立てにより確実に固定可能となる。
【００１２】
【発明の効果】
本発明は、軸筒の内周形状が楕円形や矩形、多角形、その他異形であっても、軸筒へのクリップの取付け作業が容易に行うことができる。また、軸面に露出したクリップ部分（外方板部５ａ）が短くても、クリップの玉部５ｂを軸面から離反するように持ち上げた時に、内方板部５ｄが適宜撓むことによって全長の長いクリップに対して遜色のない挟持性能が期待でき、且つクリップ玉部の上下繰返しなどによるバネ性のヘタリや破損などの問題が解消できる。
【図面の簡単な説明】
【図１】本発明の筆記具のクリップ固定構造を使用した筆記具の外観を示す上面図である。
【図２】本発明の筆記具のクリップ固定構造を使用した筆記具の外観を示す正面図である。
【図３】本発明実施例であるクリップの正面図である。
【図４】クリップの上面図である。
【図５】クリップの側面図である。
【図６】クリップの外観を示す斜視図である。
【図７】本発明の筆記具のクリップ固定構造を示した要部断面図である。
【図８】図７のＡ−Ａ矢視断面図である。
【図９】シャープペンシルの機構部が挿着された状態の図である。
【符号の説明】
１        軸筒
２        筆記先端部
３      ノック部
４      印刷部
５        クリップ
５ａ    外方板部
５ｂ    玉部
５ｃ    後端部
５ｄ    内方板部
５ｅ    環状基部
６      天冠
６ａ    軸部
６ｂ    切欠部
６ｃ    前端
７      芯ケース
【図１】
2005041065.tif 000003
【図２】
2005041065.tif 000004
【図３】
2005041065.tif 000005
【図４】
2005041065.tif 000006
【図５】
2005041065.tif 000007
【図６】
2005041065.tif 000008
【図７】
2005041065.tif 000009
【図８】
2005041065.tif 000010
【図９】
2005041065.tif 000011